【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技媒体が流下可能な第１経路及び該第１経路とは異なる第２経路と、
前記第２経路を流下した遊技媒体を検出可能な検出手段と、
前記有利状態よりも有利度が低い通常状態において、前記検出手段の検出結果に基づいて、前記第１経路へ遊技媒体を流下させることを報知する特定報知を実行可能な特定報知手段と、
前記特定報知を表示可能な表示手段と、
を備え、
前記有利状態において、前記第２経路を遊技媒体が流下する方が前記第１経路を遊技媒体が流下するよりも遊技者にとって有利であり、
前記検出手段は、第１位置で遊技媒体を検出する第１検出手段と、前記第１位置より遊技媒体の流下頻度が低い第２位置で遊技媒体を検出する第２検出手段と、を含み、
前記特定報知手段は、
前記第１検出手段の検出結果に基づく第１特定報知と、前記第２検出手段の検出結果に基づく第２特定報知と、を実行可能であり、
前記第１特定報知の実行中に前記第２特定報知の実行条件が成立したときに、前記第１特定報知よりも前記第２特定報知を優先して実行可能であり、
前記第２特定報知の実行中に前記第１特定報知の実行条件が成立したときに、前記第１特定報知よりも前記第２特定報知を優先して実行可能であり、
前記第２特定報知を、前記第１特定報知よりも遊技者が認識しやすい態様で実行する
ことを特徴とする遊技機。
【手続補正２】
【補正対象書類名】明細書
【補正対象項目名】０００７
【補正方法】変更
【補正の内容】
【０００７】
前記課題を解決するために、手段Ａに記載の遊技機は、
遊技者にとって有利な有利状態に制御可能な遊技機であって、
遊技媒体が流下可能な第１経路及び該第１経路とは異なる第２経路と、
前記第２経路を流下した遊技媒体を検出可能な検出手段と、
前記有利状態よりも有利度が低い通常状態において、前記検出手段の検出結果に基づいて、前記第１経路へ遊技媒体を流下させることを報知する特定報知を実行可能な特定報知手段と、
前記特定報知を表示可能な表示手段と、
を備え、
前記有利状態において、前記第２経路を遊技媒体が流下する方が前記第１経路を遊技媒体が流下するよりも遊技者にとって有利であり、
前記検出手段は、第１位置で遊技媒体を検出する第１検出手段と、前記第１位置より遊技媒体の流下頻度が低い第２位置で遊技媒体を検出する第２検出手段と、を含み、
前記特定報知手段は、
前記第１検出手段の検出結果に基づく第１特定報知と、前記第２検出手段の検出結果に基づく第２特定報知と、を実行可能であり、
前記第１特定報知の実行中に前記第２特定報知の実行条件が成立したときに、前記第１特定報知よりも前記第２特定報知を優先して実行可能であり、
前記第２特定報知の実行中に前記第１特定報知の実行条件が成立したときに、前記第１特定報知よりも前記第２特定報知を優先して実行可能であり、
前記第２特定報知を、前記第１特定報知よりも遊技者が認識しやすい態様で実行する
ことを特徴としている。
さらに、前記課題を解決するために、手段１に記載の遊技機は、
遊技者にとって有利な有利状態（例えば、大当り遊技状態、確変状態、ＫＴ状態など）に制御可能な遊技機（例えば、パチンコ遊技機１）であって、
遊技媒体（例えば、遊技球）が流下可能な第１経路（例えば、演出表示装置５の左側の第１経路）及び該第１経路とは異なる第２経路（例えば、演出表示装置５の右側の第２経路）と、
前記第２経路を流下した遊技媒体を検出可能な検出手段（例えば、ゲートスイッチ２１、第２始動口スイッチ２２Ｂなど）と、
前記有利状態よりも有利度が低い通常状態（例えば、低確／非ＫＴ状態）において、前記検出手段の検出結果に基づいて、前記第１経路へ遊技媒体を流下させることを報知する特定報知（例えば、左打ち報知演出Ａ、左打ち報知演出Ｂ）を実行可能な特定報知手段（例えば、演出制御用ＣＰＵ１２０が、Ｓ７０の左打ち報知処理におけるＳ５１０、Ｓ５２６、Ｓ５２９を実行する部分など。図１６，図１７参照）と、
を備え、
前記有利状態では、前記第２経路を遊技媒体が流下する方が前記第１経路を遊技媒体が流下するよりも遊技者にとって有利であり（例えば、遊技状態が確変状態（高確／ＫＴ状態）、大当り遊技状態、小当り遊技状態であるときには、遊技者は右打ちした場合に左打ちした場合よりも有利となる。）、
前記検出手段は、
第１位置（例えば、特殊入賞口の左側）で遊技媒体を検出する第１検出手段（例えば、ゲートスイッチ２１）と、
前記第１位置とは遊技媒体の流下頻度が異なる第２位置（例えば、大入賞口の左側）で遊技媒体を検出する第２検出手段（例えば、第２始動口スイッチ２２Ｂ）と、
を含み、
前記特定報知手段は、前記第１検出手段の検出結果に基づく第１特定報知（例えば、左打ち報知演出Ａ）と、前記第２検出手段の検出結果に基づく第２特定報知（例えば、左打ち報知演出Ｂ）と、を実行可能である（例えば、演出制御用ＣＰＵ１２０が、Ｓ７０の左打ち報知処理におけるＳ５０８やＳ５２２でＹｅｓの場合にＳ５１０やＳ５２６で左打ち報知演出Ａを開始する部分など。また、Ｓ５２８でＹｅｓの場合にＳ５２９で左打ち報知演出Ｂを開始する部分など。）
ことを特徴としている。
この特徴によれば、第２経路における遊技媒体の流下状況に応じた好適な報知を行うことができる。
【手続補正３】
【補正対象書類名】明細書
【補正対象項目名】０００８
【補正方法】変更
【補正の内容】
【０００８】
手段２の遊技機は、手段１に記載の遊技機であって、
前記特定報知手段は、前記第１検出手段により検出された遊技媒体が所定数（例えば、５個）に達したときには前記第２特定報知を実行可能である（例えば、演出制御用ＣＰＵ１２０が、Ｓ７０の左打ち報知処理におけるＳ５２４でＹｅｓの場合にＳ５２９で左打ち報知演出Ｂを開始する部分など。図１６参照）
ことを特徴としている。
この特徴によれば、第２経路における遊技媒体の流下状況の変化に応じて好適な報知を行うことができる。
【手続補正４】
【補正対象書類名】明細書
【補正対象項目名】０００９
【補正方法】変更
【補正の内容】
【０００９】
手段３の遊技機は、手段１または２に記載の遊技機であって、
前記第２検出手段（例えば、第２始動口スイッチ２２Ｂ）は、前記第１検出手段（例えば、ゲートスイッチ２１）が遊技媒体（例えば、遊技球）を検出してから所定期間（例えば、約２〜３秒）経過後に該遊技媒体を前記第２位置（例えば、大入賞口の左側）において検出可能である（例えば、通過ゲート４１を通過した遊技球が普通可変入賞球装置６Ｂに入賞するまでに要する期間は約２〜３秒とされている。図１参照）
ことを特徴としている。
この特徴によれば、報知条件が順番に成立するので好適な報知を行うことができる。
【手続補正５】
【補正対象書類名】明細書
【補正対象項目名】００１０
【補正方法】変更
【補正の内容】
【００１０】
手段４の遊技機は、手段１〜３のいずれかに記載の遊技機であって、
前記第２経路（例えば、演出表示装置５の右側の第２経路）を流下する遊技媒体（例えば、遊技球）は、前記第１検出手段（例えば、ゲートスイッチ２１）と前記第２検出手段（例えば、第２始動口スイッチ２２Ｂ）との少なくとも一方により検出可能である（例えば、第２経路を流下する遊技球の大半は通過ゲート４１を通過可能とされているとともに、通過ゲート４１を通過した遊技球の大半は、通過ゲート４１よりも下流側に設けられた普通可変入賞球装置６Ｂに入賞可能に誘導されるようになっている。図１参照）
ことを特徴としている。
この特徴によれば、第１検出手段及び第２検出手段双方の報知条件が成立した場合でも、好適な報知を行うことができる。
【手続補正６】
【補正対象書類名】明細書
【補正対象項目名】００１１
【補正方法】変更
【補正の内容】
【００１１】
手段５の遊技機は、手段１〜４のいずれかに記載の遊技機であって、
前記特定報知手段は、前記第１特定報知よりも長い期間にわたり前記第２特定報知を実行可能である（例えば、演出制御用ＣＰＵ１２０は、左打ち報知演出Ａは５秒間、左打ち報知演出Ｂは３０秒間にわたり実行する部分など。）
ことを特徴としている。
この特徴によれば、第２特定報知を好適に行うことができる。
【手続補正７】
【補正対象書類名】明細書
【補正対象項目名】００１２
【補正方法】変更
【補正の内容】
【００１２】
手段６の遊技機は、手段１〜５のいずれかに記載の遊技機であって、
前記特定報知手段は、
前記第１特定報知の実行中に前記第２特定報知の実行条件が成立したときには、前記第１特定報知よりも前記第２特定報知を優先して実行し（例えば、演出制御用ＣＰＵ１２０が、Ｓ７０の左打ち報知処理におけるＳ５３１で左打ち報知演出Ａが実行中であれば該左打ち報知演出Ａを終了して左打ち報知演出Ｂを開始する部分など。）、
前記第２特定報知の実行中に前記第１特定報知の実行条件が成立したときには、前記第２特定報知よりも前記第１特定報知を優先して実行しない（例えば、演出制御用ＣＰＵ１２０が、Ｓ７０の左打ち報知処理におけるＳ５２５で左打ち報知演出Ｂが実行中であるときは、Ｓ５２６を経由せずに処理を終了する部分など。）
ことを特徴としている。
この特徴によれば、第１特定報知より優先したい第２特定報知を好適に行うことができる。
【手続補正８】
【補正対象書類名】明細書
【補正対象項目名】００１３
【補正方法】変更
【補正の内容】
【００１３】
手段７の遊技機は、手段１〜６のいずれかに記載の遊技機であって、
前記第１特定報知の実行条件が成立せずに前記第２特定報知の実行条件が成立したときには、前記第２特定報知を実行せずに第３特定報知（例えば、入賞エラー報知演出）を実行する（例えば、演出制御用ＣＰＵ１２０が、Ｓ７０の左打ち報知処理におけるＳ５０８がＮｏでＳ５１３がＹｅｓになった場合、Ｓ５１４で左打ち報知演出Ｂを開始せずに入賞エラー報知演出を開始する部分など。）
ことを特徴としている。
この特徴によれば、発生し難い事象に対して好適な報知を実行できる。